(57)【要約】【課題】複合装置以外の装置を必要とすることなく、複合装置の入力部によって簡単に画像データを電子メールで送信する。【解決手段】各種情報を入力する入力手段１と、入力手段１により入力された情報を電子メールに添付して、設定された送信先アドレスへ送信するメール送信手段４とを備える複合装置１０において、入力手段１は各種情報を手書き入力し、入力手段１ｂにより手書き入力された情報に基づいて画像データを形成する画像形成手段２を備え、メール送信手段４は、画像形成手段２により形成された画像データを設定された送信先アドレスへ送信する。【選択図】      図１
2004297485.tif 000002
【特許請求の範囲】
【請求項１】
各種情報を入力する入力手段と、
前記入力手段により入力された情報を電子メールに添付して、設定された送信先アドレスへ送信するメール送信手段と
を備える複合装置において、
前記入力手段は、前記各種情報を手書き入力し、
前記入力手段により手書き入力された情報に基づいて画像データを形成する画像形成手段を備え、
前記メール送信手段は、前記画像形成手段により形成された画像データを設定された送信先アドレスへ送信する
ことを特徴とする複合装置。
【請求項２】
請求項１に記載の複合装置において、
前記送信先アドレスに含まれる属性情報に基づいて、電子メールに添付する前記画像データを、前記属性情報ごとに予め設定されている形式に変換するデータ変換手段をさらに備える
ことを特徴とする複合装置。
【請求項３】
請求項２に記載の複合装置において、
前記データ変換手段は、前記画像データの色彩，画像サイズ，フォーマットのいずれか一つ、或いは複数を、前記送信先アドレスに含まれる属性情報に基づいて変換する
ことを特徴とする複合装置。
【請求項４】
各種情報を入力する入力ステップと、
前記入力ステップで入力された情報を電子メールに添付して、設定された送信先アドレスへ送信するメール送信ステップと
を含む複合装置の制御方法において、
前記入力ステップでは、前記各種情報を手書き入力し、
前記入力ステップで手書き入力された情報に基づいて画像データを形成する画像形成ステップと、
前記送信先アドレスに含まれる属性情報に基づいて、前記画像形成ステップで形成された画像データを、前記属性情報ごとに予め設定されている形式に変換するデータ変換ステップと
を含み、
前記メール送信ステップでは、前記画像形成ステップで形成された画像データを設定された送信先アドレスへ送信する
ことを特徴とする複合装置の制御方法。
【請求項５】
各種情報を入力する入力ステップと、
前記入力ステップで入力された情報を電子メールに添付して、設定された送信先アドレスへ送信するメール送信ステップと
を複合装置に実行させる制御プログラムにおいて、
前記入力ステップでは、前記各種情報を手書き入力し、
前記入力ステップで手書き入力された情報に基づいて画像データを形成する画像形成ステップと、
前記送信先アドレスに含まれる属性情報に基づいて、前記画像形成ステップで形成された画像データを、前記属性情報ごとに予め設定されている形式に変換するデータ変換ステップと
を前記複合装置に実行させるとともに、
前記メール送信ステップでは、前記画像形成ステップで形成された画像データを設定された送信先アドレスへ送信する
ことを特徴とする複合装置の制御プログラム。
【請求項６】
画像データを電子メールに添付して送信する複合装置と、ネットワーク網を介して前記複合装置から送信されてきた前記画像データを受信する一又は二以上の受信者側端末装置とを備える情報通信システムであって、
前記複合装置は、
各種情報を手書き入力する入力手段と、
前記入力手段により入力された情報を電子メールに添付して、設定された送信先アドレスへ送信するメール送信手段と、
前記入力手段で手書き入力された情報に基づいて画像データを形成する画像形成手段と、
前記送信先アドレスに含まれる属性情報に基づいて、前記画像形成手段により形成された画像データを前記属性情報ごとに予め設定されている形式に変換するデータ変換手段とを含み、
前記メール送信手段では、前記画像形成手段により形成された画像データを設定された送信先アドレスへ送信し、
前記受信者側端末装置は、
前記画像処理装置から前記画像データの添付された電子メールを受信するとともに、所定操作により前記受信した電子メールに添付されている画像データを確認可能である
ことを特徴とする複合装置を含む情報通信システム。
【発明の詳細な説明】
【０００１】
【発明の属する技術分野】
本発明は、複合装置、その制御方法、その制御プログラム、及び複合装置を含む情報通信システムに関し、より詳しくは、ネットワークを介して電子メールを送受信する複写機，ファクシミリ，プリンタ等の機能を有する複合装置、及びそれに関連する技術に関する。
【０００２】
【従来の技術】
近年の複合装置には、スキャナ部で読み取った画像データをそのまま簡単なアドレス指定で電子メール送信する機能を有する、いわゆるＭＦＰ（マルチファンクションペリフェラル）が増加してきている。
このような従来の複合装置は、送信元ユーザ側のパーソナルコンピュータ（以下、「パソコン」と略す。）で入力された電子メールのヘッダー情報やメール本文を複合装置内に取り込み、作成された電子メールのヘッダー情報に基づいて複合装置内の送信ボックスへ送信先情報を割り当てていた。
【０００３】
そして、スキャンした画像データを送信ボックスに関連付けて格納した後、送信先情報に基づいて画像データを送信電子メールに添付して送信先に送信していた。
このように、従来の複合装置は、送信ボックスで関連付けを行うことにより、送信先の指定と画像データの取り込みを同時に行う必要をなくし、操作の不慣れなユーザが複合装置の操作パネルを長時間占有することを防止している（例えば、特許文献１参照。）。
【０００４】
【特許文献１】
特開２００２−３００３６２号公報
【０００５】
【発明が解決しようとする課題】
しかしながら、以上のような従来の複合装置は、読み取った画像データを電子メールで送信するためには、電子メールの送信先などをパソコンにより設定する必要がある。したがって、パソコンを使い慣れていないユーザにとっては、操作性が悪いといった問題点があった。
また、このような画像データを添付した電子メールの送信先が携帯電話などの端末装置である場合には、携帯電話で受信できる画像データの形式が特定されていることから、携帯電話側で必ずしも送信されてくる画像データを確認できるとは限らないといった問題があった。
【０００６】
本発明は、以上のような問題を解決するためになされたものであり、複合装置以外の装置を必要とすることなく、複合装置の入力部によって簡単に画像データを電子メールで送信することができ、かつ、送信されてくる画像データを受信者側端末装置で確認できる複合装置、その制御装置、その制御プログラム、及びその複合装置を含む情報通信システムを提供することを目的とする。
【０００７】
【課題を解決するための手段】
上記目的を達成するため、本発明の請求項１に記載の複合装置は、各種情報を入力する入力手段と、入力手段により入力された情報を電子メールに添付して、設定された送信先アドレスへ送信するメール送信手段とを備える複合装置において、入力手段は各種情報を手書き入力し、入力手段により手書き入力された情報に基づいて画像データを形成する画像形成手段を備え、メール送信手段は、画像形成手段により形成された画像データを設定された送信先アドレスへ送信する構成としてある。
【０００８】
複合装置をこのような構成にすれば、ユーザは複合装置の入力手段から手書き入力により各種の情報を設定することができるとともに、電子メールに添付して送信する画像データについても入力手段から手書き入力することができるので、複合装置以外の装置を必要とすることなく、複合装置の入力部によって簡単に画像データを電子メールで送信することができる。
【０００９】
本発明の請求項２に記載の複合装置は、請求項１に記載の複合装置において、送信先アドレスに含まれる属性情報に基づいて、電子メールに添付する画像データを、属性情報ごとに予め設定されている形式に変換するデータ変換手段をさらに備える構成としてある。
また、本発明の請求項３に記載の複合装置は、請求項２に記載の画像処理装置において、データ変換手段は、画像データの色彩，画像サイズ，フォーマットのいずれか一つ、或いは複数を、送信先アドレスに含まれる属性情報に基づいて変換する構成としてある。
【００１０】
複合装置をこのような構成にすれば、データ変換手段が、送信先に応じて電子メールに添付する画像データを、予め設定されている形式に変換するため、送信先の端末装置に対応させた画像データを送信することができ、送信先の端末に対して画像データを確実に提供することができる。
【００１１】
本発明の請求項４に記載の複合装置の制御方法は、各種情報を入力する入力ステップと、入力ステップで入力された情報を電子メールに添付して、設定された送信先アドレスへ送信するメール送信ステップとを含む複合装置の制御方法において、入力ステップでは各種情報を手書き入力し、入力ステップで手書き入力された情報に基づいて画像データを形成する画像形成ステップと、送信先アドレスに含まれる属性情報に基づいて、画像形成ステップで形成された画像データを、属性情報ごとに予め設定されている形式に変換するデータ変換ステップとを含み、メール送信ステップでは、画像形成ステップで形成された画像データを設定された送信先アドレスへ送信する方法としてある。
【００１２】
複合装置の制御方法をこのような制御方法にすれば、ユーザは複合装置への手書き入力により各種の情報を設定することができるとともに、電子メールに添付して送信する画像データについても手書き入力することができるので、複合装置以外の装置を必要とすることなく、複合装置単体によって簡単に画像データを電子メールで送信することができる。さらに、送信先に応じて電子メールに添付する画像データを、予め設定されている形式に変換するため、送信先の端末装置に対応させた画像データを送信することができ、送信先の端末に対して画像データを確実に提供することができる。
【００１３】
本発明の請求項５に記載の複合装置の制御プログラムは、各種情報を入力する入力ステップと、入力ステップで入力された情報を電子メールに添付して、設定された送信先アドレスへ送信するメール送信ステップとを複合装置に実行させる制御プログラムにおいて、入力ステップでは各種情報を手書き入力し、入力ステップで手書き入力された情報に基づいて画像データを形成する画像形成ステップと、送信先アドレスに含まれる属性情報に基づいて、画像形成ステップで形成された画像データを、属性情報ごとに予め設定されている形式に変換するデータ変換ステップと複合装置に実行させるとともに、メール送信ステップでは、画像形成ステップで形成された画像データを設定された送信先アドレスへ送信する処理を複合装置に実行させる制御プログラムとしてある。
【００１４】
複合装置の制御プログラムをこのような制御プログラムにすれば、ユーザは複合装置への手書き入力により各種の情報を設定することができるとともに、電子メールに添付して送信する画像データについても手書き入力することができるので、複合装置以外の装置を必要とすることなく、複合装置単体によって簡単に画像データを電子メールで送信することができる。さらに、送信先に応じて電子メールに添付する画像データを、予め設定されている形式に変換するため、送信先の端末装置に対応させた画像データを送信することができる。これにより、複合装置においては、送信先の端末に対して画像データを確実に提供することができる。
【００１５】
本発明の請求項６に記載の複合装置を含む情報通信システムは、画像データを電子メールに添付して送信する複合装置と、ネットワーク網を介して複合装置から送信されてきた画像データを受信する一又は二以上の受信者側端末装置とを備える情報通信システムであって、複合装置は、各種情報を手書き入力する入力手段と、入力手段により入力された情報を電子メールに添付して、設定された送信先アドレスへ送信するメール送信手段と、入力手段で手書き入力された情報に基づいて画像データを形成する画像形成手段と、送信先アドレスに含まれる属性情報に基づいて、画像形成手段により形成された画像データを属性情報ごとに予め設定されている形式に変換するデータ変換手段とを含み、メール送信手段では、画像形成手段により形成された画像データを設定された送信先アドレスへ送信し、受信者側端末装置は、画像処理装置から画像データの添付された電子メールを受信するとともに、所定操作により受信した電子メールに添付されている画像データを確認可能である構成としてある。
【００１６】
複合装置を含む情報通信システムをこのような構成にすれば、受信者側端末装置の属性によって、受信できる画像データが制限されるような場合であっても、その送信先の受信者側端末装置の属性情報に基づいて画像データをデータ変換した後に送信しているため、受信者側端末装置で確実に画像データを表示できる。
【００１７】
【発明の実施の形態】
以下、本発明の実施の形態について図面を参照して説明する。
本発明の一実施形態に係る複合装置を含む情報通信システムついて図１を参照して説明する。
図１は、本発明の実施形態に係る複合装置を含む情報通信システムの全体構成図である。なお、図中の構成は、本発明を説明する上で最小限の構成である。
【００１８】
図１に示すように、複合装置を含む情報通信システムは、ＭＦＰなどのデジタル複合装置１０、送信者側メールサーバ（又は、ゲートウェイ）２０、インターネット網３０、受信者側メールサーバ４０、基地局５０、携帯電話端末などの受信者側端末装置６０、画像サーバ７０を有している。
【００１９】
デジタル複合装置１０は、図２に示すように、テキスト入力手段１ａ，手書き入力手段１ｂを含むタッチパネル操作部（入力手段）１、画像形成手段２、データ変換手段３、メール送信手段４、ネットワークインターフェース５、スキャナ６、ストレージ手段７、アドレス記憶手段８を備えている。
タッチパネル操作部１は、タッチパネルを採用したモニターや液晶ディスプレイなどからなり、表示画面上に指や専用ペンを接触させることで入力設定を行うことのできる、表示と入力機能を備える双方向インターフェースである。
テキスト入力手段１ａは、表示画面上に定型文や図形などを表示させ、選択された定型文などを入力情報とする。また、手書き入力手段１ｂは、表示画面上で検出されるｘ−ｙ座標へ任意に描かれた軌跡を入力情報とする。実際には、この手書き入力手段１ｂは、メモリ空間上のｘ−ｙ座標に対応した位置のビットを立てる操作を行っている。
画像形成手段２は、手書き入力手段１ｂからの入力情報（手書き情報）を認識し、画像データを形成する。
【００２０】
データ変換手段３は、画像形成手段２により形成された画像データを電子メールで送信する受信者側端末装置６０の属性に合わせた形式に変換する。この受信者側端末装置６０の属性情報は、送信先のアドレスから読み取ることができる。つまり、電子メールアドレスは、「ａｂｃｄｅ＠ｃｏｍｐａｎｙ．ｃｏ．ｊｐ」のような形式になっており、「＠」記号より前が個人を識別するユーザ名、＠より後ろが組織を識別するためのドメイン名であるため、このドメイン名を読み取ることにより受信者側端末装置６０の属性情報を判断できる。
ここで、受信者側端末装置６０が携帯電話である場合には、携帯電話の登録されているサービス提供者ごとに、所定のフォーマット（ＪＰＥＧ，ＧＩＦ，ＰＮＧ）など（予め設定されている形式）が設定されている。したがって、このような携帯電話に関しては、サービス提供者ごとに異なるドメイン名を読み取ることにより画像データを変換することができる。
【００２１】
なお、同じサービス提供者に登録されている携帯電話であっても、携帯電話によってフォーマット形式が異なる場合もあり、このような場合にはドメイン名以外の携帯電話端末の種別を認識できる属性情報を電子メールアドレスに関連して予め設定しておく必要がある。
また、画像データは、フォーマット形式の変換のみに限らず、フォーマット形式、画像の色彩、画像サイズのいずれか、又は複数を変換することもできる。
【００２２】
メール送信手段４は、タッチパネル操作部１からの送信先の指定を受け取ると、アドレス記憶手段８に予め格納されている送信者アドレスを抽出し、この送信者アドレスに含まれる属性情報を読み取る。そして、読み取った属性情報に基づいて画像形成手段２により形成された画像データを、データ変換手段３により変換させてネットワークインターフェース５に出力する。
ネットワークインターフェース５は、デジタル複合装置１０と送信者側メールサーバ（又はゲートウェイ）２０とを接続し、メール送信手段４により出力された画像データをインターネット網３０に送出する。
【００２３】
また、スキャナ６は、外部からの画像情報を直接に読み取り、内蔵する１頁分読取メモリに読み取った画像データを格納した後、データ変換手段３へ出力する。また、スキャンする画像のデータ量が大きい場合にも対応し、読み取った画像データをストレージ手段７へ格納した後、データ変換手段３に出力させてもよい。
なお、データ変換手段３では、画像形成手段２で形成された画像データと同様に、スキャナ６から入力された画像データを、電子メールで送信する受信者側端末装置６０の属性に合わせた形式に変換する。
ストレージ手段７は、ハードディスクやコンパクトフラッシュ（登録商標）などの大容量の記憶手段であり、スキャナ６によりスキャンされた画像データ、及び画像形成手段２により画像形成された画像データを格納することができる。
アドレス記憶手段８は、電子メールの送信先アドレスと、各送信先の受信者側端末装置６０が受け付けられる画像データの属性情報などを関連付けて記憶している。
【００２４】
以上のように、デジタル複合装置１０を含む情報通信システムでは、デジタル複合装置１０から出力された電子メールは、定型文を利用した通常のテキストメールでは、送信者側メールサーバ２０，インターネット網３０を介して送信先の受信者側端末装置６０を管理する受信者側メールサーバ４０へ送信され、受信者側メールサーバ４０から基地局５０を介して受信者側端末装置６０に送信される。
一方、画像データを添付ファイル形式で送信した場合には、ゲートウェイ２０を経由してインターネット網３０上の画像サーバ７０に画像データが指定フォーマットで送信されるとともに、その画像をダウンロードすることが認証された宛先に対し、ダウンロードメッセージとともに画像データへのリンクが電子メールにて送信される。よって、受信者側端末装置６０は、画像データをダウンロードし、電子メールの添付ファイルが操作ボタンをクリックするなどの所定操作により開かれると、送信されてきた画像データを表示画面上に表示する。なお、この送信されてきた画像データは受信者側端末装置６０の属性に合わせたデータ形式に、デジタル複合装置１０のデータ変換手段３によりデータ変換されているため、受信者側端末装置６０で画像を確認できないといった問題は発生しない。
【００２５】
次に、本実施形態のデジタル複合装置１０による電子メールの送信動作について、図３を参照して説明する。
図３は、デジタル複合装置による電子メールの送信動作を示すフローチャートである。
まず、デジタル複合装置１０は、タッチパネル操作部１から電子メールの送信先アドレスの設定があったか否かを判断する（ステップＳ３０１）。
【００２６】
ステップＳ３０１で、電子メールの送信先アドレスの設定がなされたと判断された場合には、つづけて、タッチパネル操作部１で入力元の指定として手書きによる入力が指定されているか否かを判断する（ステップＳ３０２）。
ステップＳ３０２で、手書き入力が指定されていると判断された場合には、デジタル複合装置１０は、タッチパネル操作部１に手書き入力画面を表示させ、ここに入力された手書き情報を読み取る（入力ステップ、ステップＳ３０３）。
次いで、読み取った手書き情報に基づいて、画像形成手段２が画像データを形成する（画像形成ステップ、ステップＳ３０４）。
【００２７】
画像データが形成されると、メール送信手段４は、アドレス記憶手段８から送信先アドレスのドメイン情報を読み取り、予め設定されているドメイン情報に対応する所定のデータ形式に画像データを変換する（データ変換ステップ、ステップＳ３０５）。すなわち、受信者側端末装置６０が携帯電話であれば、例えば、カラー２５６色表示、サイズは１２０×１２０画素、フォーマットはＰＮＧという属性情報にしたがって、手書き入力のビットマップデータ（画像データ）を変換する。
【００２８】
一方、ステップＳ３０２で、タッチパネル操作部１からの入力が手書き入力ではないと判断された場合には、メール送信手段４は、入力操作に基づいて定型文などの入力情報を電子メールとして設定する（入力ステップ、ステップＳ３０６）。
そして、メール送信手段４は、設定された入力情報に基づいて電子メールを作成し、また、ステップＳ３０３〜３０５により画像データが作成されている場合には、この電子データを電子メールに添付する（ステップＳ３０７）。
次いで、メール送信手段４は、作成した電子メールを指定された送信先アドレスへ送信する（メール送信ステップ、ステップＳ３０６）。
【００２９】
以上のような、一連の動作により、デジタル複合装置１０から電子メールを送信することができる。
ここで、以下にデジタル複合装置１０の電子メールの送信動作に伴う、タッチパネル操作部１の表示及び設定について詳細に説明する。
図４は、デジタル複合装置１０から電子メールを送信するための画面が選択された場合に、タッチパネル操作部１に表示される最初の画面である。図４において、送信先の設定方法としては、「アドレス帳」による設定と、「新規登録」による設定とが選択できるようになっている。
【００３０】
図５は、図４に示す表示画面において出力先の設定に「アドレス帳」を選択したときに表示される表示画面である。図５において、送信先選択部「ＴＯ：」には、アドレス記憶手段８に予め登録された部署メンバの電子メールアドレスが表示される。また、この表示画面による送信先アドレスの設定は、アドレス帳（ＴＯ：）の中から送信先アドレスを選択して「適用」ボタンを押し、さらに「戻る」ボタンを押すことにより最終的な送信先アドレスが確定される。
また、ここに述べたデジタル複合装置１０から電子メールを送信すること自体は、従来からの操作と同様であるため操作は容易であると言える。
【００３１】
また、図５に示されるアドレス帳はアドレス記憶手段８に記憶されているアドレスのリストであり、これらのアドレスは図４に示す表示画面において出力先の設定として「新規登録」を選択したときに表示される新規登録画面により新規なアドレスを追加して作成したものである。図６はタッチパネル操作部１の表示画面に表示される新規登録画面の一例である。
図６において、画面右側の各項目に必要な情報を入力可能となっており、アドレスや表示する際の名前などは当然であるが、例えば携帯電話のメールへ送信する場合には、画面の色彩指定（フルカラー、カラー２５６、モノクロ）や、表示できる画面のサイズ（ｘ×ｙ）、画像のフォーマット（ＪＰＥＧ、ＰＮＧ，ＧＩＦ）をといったタイプ（属性情報）を選択、設定できるようになっている。
また、電子メールの送信先がパソコンのメーラーである場合には、回線の速度をＤＳＬ，ＩＳＤＮ，ＰＨＯＮＥ（アナログ回線電話），ＭＯＢＩＬＥ（無線）から選択可能になっている。
これは、いずれも受信者側の環境に合わせ、最適なデータ量で画像を送るための設定である。例えば、携帯電話に関しては、決められた画像サイズに送信画像を調整し、また、フォーマットの形式もＰＮＧといったように各携帯電話の端末に合わせる必要がある。
【００３２】
次に、送信先アドレス設定後の電子メールの各種情報入力時におけるタッチパネル操作部１の表示について説明する。
図４に示すように、タッチパネル操作部１からの入力方法「入力元」としては、「定型文」、「パネル入力」、「パネル手書き」から選択できる。
図７は、タッチパネル操作部１の「入力元」の選択で、「定型文」を選択した場合の表示画面である。
図７において、画面右側には定型文の選択肢が表示されている。この選択肢から送信しようとするメッセージを選択して「適用」ボタンを押すことにより、定型文によるメッセージが確定する。なお、本発明においては、特にパソコンを使用することが苦手なユーザを対象にしているため、パソコンでなければ入力できないような長文などは対象としておらず、簡単な「会社に電話してください」といった最小限のメッセージが選択可能となっている。
【００３３】
一方、定型文では伝えられない内容のメッセージを送信したい場合には、「パネル入力」、又は「パネル手書き」を選択する必要がある。
「パネル入力」を選択した場合には、タッチパネル操作部１にキーボード画面が表示され（図示しない）、このキーボードを専用ペンでタッチすることにより文書入力が可能となっている。
【００３４】
図８は、タッチパネル操作部１の「入力元」の選択で、「パネル手書き」を選択した場合の表示画面である。
図８において、フレーム画面上段には、いくつかの便利な絵文字が並んでいて、タッチパネル操作部１上で軽く専用ペンなどで触れた状態で動かすことができる。例えば、図８では、上記要領によって画面上に電話の絵を記入した。タッチパネル操作部１は、例えば、超音波を使って専用ペンが触れている座標を読み取れるので、それをプロットした画像を作ることができる。また、タッチパネル操作部１上に専用ペンで軌道を描けば、字を書くこともできる。図８の例では、電話番号と名前をメッセージとした。
【００３５】
図９は、タッチパネル操作部１により各種設定された後の最終表示画面である。
表示画面の右下には、送信者「ＦＲＯＭ：」の表示があるが、この設定はアドレス帳から選択しても良く、ＭＦＰを使用する際にアカウントの認証を受けていれば、そのユーザに関連したアドレスが予め設定され、表示されるようにしておいても良い。
よって、この表示画面において「送信」ボタンを押すことにより、設定入力された電子メールがＭＦＰから送信先へ送信される。
【００３６】
ここで、より詳細に、図８に示す手書き用入力画面による設定動作について、図１０を参照して説明する。
図１０は、手書き用入力画面による設定動作を示すフローチャートである。
デジタル複合装置１０は、タッチパネル操作部１の表示画面にて、「入力元」として「パネル手書き」が選択されると、パネル手書き画面を表示する（図８参照）（ステップＳ１０１）。
手書き表示画面が表示されると、デジタル複合装置１０は、タッチパネル操作部１にて絵文字が選択されているか否かを判断する（ステップＳ１０２）。
タッチパネル操作部１上の絵文字該当部分が専用ペンなどで押されていれば、絵文字が選択されていると判断し、その絵文字をドラッグさせる（ステップＳ１０３）。すなわち、絵文字を押された状態でペン先が移動するとペン先に追随して絵文字を移動させる。
そして、ペン先が画面から離されると、それを検知してペン先が離された位置に絵文字をドロップさせ（ステップＳ１０４）、ステップＳ１０５へ進む。
【００３７】
ステップＳ１０２で絵文字が選択されていないと判断された場合、或いはステップＳ１０４で絵文字がドロップされたと判断された場合は、手書き領域内がペン先で押されているかによって、手書き入力がなされているか否かを判断する（ステップＳ１０５）。
手書き入力がされていると判断された場合には、ペン先で押された位置を示す画像データ上の箇所にプロットを付す（ステップＳ１０６）。
ステップＳ１０５で手書き入力でないと判断された場合、及びステップＳ１０６でプロットを付した場合に、表示画面下段の「クリア」ボタンが押されているか否かを判断し（ステップＳ１０７）、押されていれば入力された画像データを例えば全消去する（ステップＳ１０８）。
ステップＳ１０７で「クリア」ボタンが押されていない場合、及びステップＳ１０８で画像データが全消去された場合には、手書き入力操作を終了させる「ＯＫ」ボタンが押されたか否かを判断し（ステップＳ１０９）、押されていれば、手書き入力を確定してメール送信画面（図９）に戻る。一方、押されなければ再度ステップＳ１０１に戻りステップＳ１０１〜Ｓ１０９の処理を繰り返す。
【００３８】
以上のように、本実施形態に係るデジタル複合装置１０によれば、ユーザはデジタル複合装置１０のタッチパネル操作部１の手書き入力手段１ｂによる手書き入力により各種情報を設定することができるとともに、電子メールに添付して送信する画像データについても手書き入力手段１ｂから手書き入力することができるので、デジタル複合装置１０以外の装置を必要とすることなく、デジタル複合装置１０のタッチパネル操作部１によって簡単に画像データを電子メールで送信することができる。
したがって、パソコンを使い慣れないユーザであっても、安易に電子メールを複合装置を用いて送信することができる。
【００３９】
以上、本発明のデジタル複合装置について、好ましい実施形態を示して説明したが、本発明に係る複合装置は、上述した実施形態にのみ限定されるものではなく、本発明の範囲で種々の変更実施が可能であることは言うまでもない。
【００４０】
また、上記実施形態に係るデジタル複合装置は、制御プログラムに制御されるコンピュータにより実行することができる。デジタル複合装置の制御プログラムは、例えば、記録媒体により提供される。記録媒体としては、例えば、磁気ディスク、光ディスク、半導体メモリ、その他コンピュータで読み取り可能な任意の手段を使用することができる。
また、記録媒体に記録されたデジタル複合装置の制御プログラムは、記録媒体を直接コンピュータに装着して当該コンピュータに読み込ませることができ、また、通信回線を介してコンピュータに読み込ませるようにしても良い。
【００４１】
【発明の効果】
以上説明したように本発明によれば、複合装置以外の装置を必要とすることなく、複合装置の入力部によって簡単に画像データを電子メールで送信することができ、かつ、送信されてくる画像データを受信者側端末装置で確認することができる。
【図面の簡単な説明】
【図１】本発明の実施形態に係る複合装置を含む情報通信システムの全体構成図である。
【図２】本発明の実施形態に係る複合装置の内部構成図である。
【図３】本発明の実施形態に係る複合装置による電子メールの送信動作を示すフローチャートである。
【図４】本発明の実施形態に係る複合装置のタッチパネル操作部に表示される初期画面である。
【図５】本発明の実施形態に係る複合装置において出力先の設定に「アドレス帳」を選択したときの表示画面である。
【図６】本発明の実施形態に係る複合装置における新規登録画面の一例である。
【図７】本発明の実施形態に係る複合装置において「入力元」の選択で、「定型文」を選択した場合の表示画面である。
【図８】本発明の実施形態に係る複合装置において「入力元」の選択で、「パネル手書き」を選択した場合の表示画面である。
【図９】本発明の実施形態に係る複合装置のタッチパネル操作部における最終表示画面である。
【図１０】本発明の実施形態に係る複合装置のタッチパネル操作部における手書き用入力画面による設定動作を示すフローチャートである。
【符号の説明】
１  タッチパネル操作部（入力手段）
１ａ  テキスト入力手段
１ｂ  手書き入力手段
２  画像形成手段
３  データ変換手段
４  メール送信手段
５  ネットワークインターフェース
６  スキャナ
７  ストレージ手段
８  アドレス記憶手段
１０  デジタル複合装置
２０  送信者側メールサーバ（又は、ゲートウェイ）
３０  インターネット網
４０  受信者側メールサーバ
５０  基地局
６０  受信者側端末装置
７０  画像サーバ
【図１】
2004297485.tif 000003
【図２】
2004297485.tif 000004
【図３】
2004297485.tif 000005
【図４】
2004297485.tif 000006
【図５】
2004297485.tif 000007
【図６】
2004297485.tif 000008
【図７】
2004297485.tif 000009
【図８】
2004297485.tif 000010
【図９】
2004297485.tif 000011
【図１０】
2004297485.tif 000012